(57)【要約】【課題】自動車の表面あるいは路面上に付着している塵埃等を、洗浄残りが発生する事無く、洗浄すると共に、空気中にマイナスイオンを放出させることができる洗浄ブラシを提供する。【解決手段】自動車の表面あるいは路面上に付着している塵埃等を洗浄する為の自動車用あるいは路面用洗浄ブラシにおいて、前記洗浄ブラシを構成するいずれかの部品の材料に、貴陽石（商標出願中）の粉体が練り込んで使用されてあるか、あるいは前記洗浄ブラシを構成するいずれかの部品の表面に、貴陽石（商標出願中）の粉体を混入させた塗装皮膜あるいはコーティング皮膜が形成されてあるか、あるいは前記洗浄ブラシを構成するいずれかの部品の材料は、貴陽石（商標出願中）の粉体を焼結させるかまたは樹脂バインダーにて固着させて形成されてあるものである。【選択図】　　　　　図３
2004141602.tif 000002
【特許請求の範囲】
【請求項１】
自動車の表面あるいは路面上に付着している塵埃等を洗浄する為の自動車用あるいは路面用洗浄ブラシにおいて、前記洗浄ブラシを構成するいずれかの部品の材料に、貴陽石（商標出願中）の粉体が練り込んで使用されてあるか、あるいは前記洗浄ブラシを構成するいずれかの部品の表面に、貴陽石（商標出願中）の粉体を混入させた塗装皮膜あるいはコーティング皮膜が形成されてあるか、あるいは前記洗浄ブラシを構成するいずれかの部品の材料は、貴陽石（商標出願中）の粉体を焼結させるかまたは樹脂バインダーにて固着させて形成されてあることを特徴とする洗浄ブラシ。
【請求項２】
請求項１記載の構成よりなる洗浄ブラシにおいて、前記部品として回転軸が使用されてあることを特徴とする洗浄ブラシ。
【請求項３】
請求項１記載の構成よりなる洗浄ブラシにおいて、前記部品としてブラシ片が使用されてあることを特徴とする洗浄ブラシ。
【発明の詳細な説明】
【０００１】
【発明の属する技術分野】
本発明は、自動車の表面あるいは路面上に付着している塵埃等を洗浄する為の自動車用あるいは路面用洗浄ブラシに関するものである。
【０００２】
【従来の技術】
従来の洗浄ブラシを、以下図１及び図２を用いて説明する。
【０００３】
従来、自動車の表面あるいは路面上に付着している塵埃等を洗浄する為の自動車用あるいは路面用洗浄ブラシに関しては、様々な改良がなされ、例えば、自動洗車ブラシとして、図１及び図２の如く、回転軸２にたいして、ブラシ片３を支持体４にて挟み付け、固定ピン８にて固定する構成において、ブラシ片３のスリット５を深浅交互に形成すると共に、各スリット５の内端に連なって円孔６を形成する技術が、実用新案登録第３０７１３２６号に開示されてある。
【０００４】
【発明が解決しようとする課題】
従来の洗浄ブラシにおいては、上記の如くの様々な改良を実施して、自動車の表面あるいは路面上に付着している塵埃等を洗浄していた。ところで、一般には、自動車の表面あるいは路面上に付着している塵埃等は、プラスイオンに帯電している為、洗浄残りが発生するという課題を有していた。その為、自動車の表面あるいは路面上に付着している塵埃等を、洗浄残りが発生する事無く、洗浄すると共に、空気中にマイナスイオンを放出させることができる洗浄ブラシの技術が求められていた。
【０００５】
【課題を解決するための手段】
本発明は、次のように構成したものである。
（１）自動車の表面あるいは路面上に付着している塵埃等を洗浄する為の自動車用あるいは路面用洗浄ブラシにおいて、前記洗浄ブラシを構成するいずれかの部品の材料に、貴陽石（商標出願中）の粉体が練り込んで使用されてあるか、あるいは前記洗浄ブラシを構成するいずれかの部品の表面に、貴陽石（商標出願中）の粉体を混入させた塗装皮膜あるいはコーティング皮膜が形成されてあるか、あるいは前記洗浄ブラシを構成するいずれかの部品の材料は、貴陽石（商標出願中）の粉体を焼結させるかまたは樹脂バインダーにて固着させて形成されてあるものである。
【０００６】
（２）上記（１）記載の構成よりなる洗浄ブラシにおいて、前記部品として回転軸が使用されてあるものである。
【０００７】
（３）上記（１）記載の構成よりなる洗浄ブラシにおいて、前記部品としてブラシ片が使用されてあるものである。
【０００８】
【発明の実施の形態】
実施の形態１
図３から図１１に実施の形態１を示す。図３は、本発明の実施の形態１の洗浄ブラシの構成を示す斜視図である。図３において、１１は洗浄ブラシ、１２は回転軸、１３はブラシ片、１４は止め金具、２６は溝部である。また、図４から図１０は、本発明の実施の形態１の洗浄ブラシに使用されてある部品の実施例が記載されてある。図４から図７は、回転軸の実施例を示す断面図である。図８から図１０は、ブラシ片の実施例を示す断面図である。図４から図１０において、９、１９、２９、３９は基材、１０、２０、３０、４０、５０、６０、７０は粉体、１２、２２、３２、４２は回転軸、１３、２３、３３はブラシ片、１７、２７は皮膜、１８、２８はバインダーである。また、図１１は、本発明の実施の形態１の他の実施例の洗浄ブラシの構成を示す斜視図である。図１１において、２１は洗浄ブラシ、５２は回転軸、４３はブラシ片、２４は止め金具である。
【０００９】
本発明の洗浄ブラシ１１は、図３の如く、回転軸１２、ブラシ片１３、止め金具１４、溝部２６より形成されてある。回転軸１２は、金属製の概円柱形状であり、外周には、回転軸１２の長手方向にたいして平行になるよう、円周等分４箇所に溝部２６が形成されてある。また、ブラシ片１３は、中央部を折り込んで形成されてあり、止め金具１４を装着後、溝部２６にたいして、円周等分４箇所に形成されるよう装着されてある。ブラシ片１３の材質には、合成樹脂発泡体が使用されてある。
【００１０】
本発明の洗浄ブラシは、上記の如くの部品により構成されてあり、上記洗浄ブラシのいずれかの部品の材料に、貴陽石（商標出願中）の粉体が練り込んで使用されてあるか、あるいは、いずれかの部品の表面に、貴陽石（商標出願中）の粉体を混入させた塗装皮膜あるいはコーティング皮膜が形成されてあるか、あるいは、いずれかの部品の材料は、貴陽石（商標出願中）の粉体を焼結させるかまたは樹脂バインダーにて固着させて形成されてある。粉体の材質としては、貴陽石（商標出願中）の粉体が使用されてある。貴陽石は、天然の長石の一種であり、主成分は含水珪酸アルミニウムである。また、貴陽石は、群馬県利根郡にある群馬長石御座入鉱山にて産出されている。
【００１１】
貴陽石は、振動が加えられるとマイナスイオンを発生する性質を有している。特に、ある特定の周波数の振動が加えられると、大量のマイナスイオンを発生する性質を有している。マイナスイオンの発生量は、最大で、約２４０００個／ｃｃが測定されてあり、黒曜石、岐阜麦飯石、トルマリン、竜王石、医王石などのマイナスイオンを発生する他の鉱物に比べて、極めて多い発生量を有している。また、貴陽石は、常温にて遠赤外線を放射する性質を有している。遠赤外線放射率は、例えば、２５℃の測定温度にて約９６％が測定されている。なお、詳細の実施例については、部品毎に、図４から図１０を使用して、説明する。
【００１２】
まず、回転軸における実施例を、図４から図７を使用して説明する。回転軸１２は、図４の如く、金属等の基材９にたいして、所定重量％の貴陽石（商標出願中）の粉体１０が練り込まれた後、成形されて製作されてある。また、他の実施例として、回転軸２２は、図５の如く、金属等の基材１９の表面に、塗装処理あるいはコーティング処理をした皮膜１７が、形成されてある。皮膜１７は、塗装材料あるいはコーティング材料にたいして、所定重量％の貴陽石（商標出願中）の粉体２０を、練り込んだ後、形成されてある。また、他の実施例として、回転軸３２は、図６の如く、貴陽石（商標出願中）の粉体３０を樹脂バインダー１８にて固着させて形成されてある。さらにまた、他の実施例として、回転軸４２は、図７の如く、貴陽石（商標出願中）の粉体４０を焼結させて形成されてある。
【００１３】
本発明の実施の形態１の回転軸１２は、上記の如くの構成となっている為、洗浄ブラシ１１の使用時には、回転軸１２の基材９に所定重量％練り込まれた貴陽石（商標出願中）の粉体１０から、マイナスイオンが発生する。その為、空気中にマイナスイオンを放出させることができる。放出したマイナスイオンにより、プラスイオンに帯電している塵埃等が、付着している自動車の表面あるいは路面上から遊離することにより、洗浄残りが発生する事無く、塵埃等を洗浄することができる。また、粉体１０は、回転軸１２の基材９に所定重量％練り込まれて形成されてある為、粉体１０が脱落する事が無い。また、回転軸２２の基材１９の表面に、所定重量％の貴陽石（商標出願中）の粉体２０を練り込んだ皮膜１７にて、塗装処理あるいはコーティング処理をした場合には、貴陽石（商標出願中）の粉体２０から、マイナスイオンが発生する。その時、発生したマイナスイオンを、空気中に放出することができる。皮膜１７は塗装処理あるいはコーティング処理にて形成されてある為、安価かつ容易に、粉体２０を回転軸２２の表面に形成させることができる。また、回転軸３２を、貴陽石（商標出願中）の粉体３０を樹脂バインダー１８にて固着させて形成したり、回転軸４２を、貴陽石（商標出願中）の粉体４０を焼結させて形成した場合には、粉体３０あるいは粉体４０から、マイナスイオンが発生する。その時、発生したマイナスイオンを、空気中に放出することができる。また、粉体３０あるいは粉体４０の重量％を多くすることができるので、マイナスイオンを大量に発生させることができる。
【００１４】
本発明の実施の形態１の回転軸は、上記の如くの構成となっているが、回転軸の材質等については、目的に応じて、貴陽石（商標出願中）の粉体を、練り込むことが可能である材質の中から、例えば、鋳鉄、鋼、アルミ合金、樹脂、木、紙等、最適な材質を選定の上、使用しても、何ら支障は無い。また、使用する粉体の粒度等は、目的に応じて、適時、設定しても何ら支障は無い。
【００１５】
次に、ブラシ片における実施例を、図８から図１０を使用して説明する。ブラシ片１３は、図８の如く、合成樹脂発泡体の基材２９にたいして、所定重量％の貴陽石（商標出願中）の粉体５０が練り込まれた後、成形されて製作されてある。また、他の実施例として、ブラシ片２３は、図９の如く、合成樹脂発泡体の基材３９の表面に、塗装処理あるいはコーティング処理をした皮膜２７が、形成されてある。皮膜２７は、塗装材料あるいはコーティング材料にたいして、所定重量％の貴陽石（商標出願中）の粉体６０を、練り込んだ後、形成されてある。また、他の実施例として、ブラシ片３３は、図１０の如く、貴陽石（商標出願中）の粉体７０を樹脂バインダー２８にて固着させて形成されてある。
【００１６】
本発明の実施の形態１のブラシ片１３は、上記の如くの構成となっている為、洗浄ブラシ１１の使用時には、ブラシ片１３の基材２９に所定重量％練り込まれた貴陽石（商標出願中）の粉体５０から、マイナスイオンが発生する。その為、空気中にマイナスイオンを放出させることができる。また、粉体５０は、ブラシ片１３の基材２９に所定重量％練り込まれて形成されてある為、粉体５０が脱落する事が無い。また、ブラシ片２３の基材３９の表面に、所定重量％の貴陽石（商標出願中）の粉体６０を練り込んだ皮膜２７にて、塗装処理あるいはコーティング処理をした場合には、貴陽石（商標出願中）の粉体６０から、マイナスイオンが発生する。その時、発生したマイナスイオンを、空気中に放出することができる。皮膜２７は塗装処理あるいはコーティング処理にて形成されてある為、安価かつ容易に、粉体６０をブラシ片２３の表面に形成させることができる。また、ブラシ片３３を、貴陽石（商標出願中）の粉体７０を樹脂バインダー２８にて固着させて形成した場合には、粉体７０から、マイナスイオンが発生する。その時、発生したマイナスイオンを、空気中に放出することができる。また、粉体７０の重量％を多くすることができるので、マイナスイオンを大量に発生させることができる。
【００１７】
本発明の実施の形態１のブラシ片は、上記の如くの構成となっているが、ブラシ片の材質等については、目的に応じて、貴陽石（商標出願中）の粉体を、練り込むことが可能な材質の中から、例えば、天然樹脂発泡体、合成樹脂発泡体、織布、不織布、編物、天然繊維、化学繊維、天然樹脂、合成樹脂、天然ゴム、合成ゴム、ゲル材、フィルム材、メッシュ材、ボア材等、最適な材質を選定の上、使用しても、何ら支障は無い。
【００１８】
次に、図１１にて、本発明の実施の形態１の他の実施例の洗浄ブラシの構成を示す。図１１において、２１は洗浄ブラシ、５２は回転軸、４３はブラシ片、２４は止め金具である。本発明の実施の形態１の他の実施例の洗浄ブラシは、図１１の如く、止め金具２４、ブラシ片４３、回転軸５２より構成されてある。ブラシ片４３は、回転軸５２の外周部にたいして、螺旋状になるよう巻きつけられて形成されてあり、止め金具２４にて固定されてある。ブラシ片４３は、通常、チャンネルブラシと呼ばれている。
【００１９】
上記の如く、本発明の実施の形態１の他の実施例の洗浄ブラシは、止め金具２４、ブラシ片４３、回転軸５２より構成されてあるが、ブラシ片４３、回転軸５２については、本発明の実施の形態１の洗浄ブラシに使用されてある、回転軸１２、２２、３２、４２、ブラシ片１３、２３、３３と同様に、貴陽石（商標出願中）の粉体が練り込んで使用されてあるか、あるいは表面に、貴陽石（商標出願中）の粉体を混入させた塗装皮膜あるいはコーティング皮膜が、形成されてあるか、あるいは、貴陽石（商標出願中）の粉体を焼結させるかまたは樹脂バインダーにて固着させて形成されてある。
【００２０】
本発明の洗浄ブラシは、上記の如くの構成となっているが、洗浄ブラシの構成については、目的に応じて、例えば、ブラシ片を、回転軸の溝部にたいして挿入固定した後、回転軸を軸の周りに捩りを加えてブラシ片を螺旋状に形成したり、軸の周りに捩りを加えた回転軸にたいして、ブラシ片を回転軸の溝部にたいして挿入固定して螺旋状に形成する等、適時設定しても、何ら支障は無い。
【００２１】
【発明の効果】
以上の説明から明らかなように、本発明の実施の形態１の洗浄ブラシは、次に示すような効果を得ることができる。
【００２２】
洗浄ブラシを構成するいずれかの部品の基材にたいして、所定重量％の貴陽石（商標出願中）の粉体が練り込まれた後、成形されて製作されてある場合には、洗浄ブラシの使用時には、部品の基材に所定重量％練り込まれた貴陽石（商標出願中）の粉体から、マイナスイオンが発生する。その為、空気中にマイナスイオンを放出させることができる。放出したマイナスイオンにより、プラスイオンに帯電している塵埃等が、付着している自動車の表面あるいは路面上から遊離することにより、洗浄残りが発生する事無く、塵埃等を洗浄することができる。また、粉体は、洗浄ブラシを構成するいずれかの部品の基材に所定重量％練り込まれて形成されてある為、粉体が脱落する事が無い。
【００２３】
また、洗浄ブラシを構成するいずれかの部品の基材の表面に、所定重量％の貴陽石（商標出願中）の粉体を混入させた塗装皮膜あるいはコーティング皮膜が形成されてある場合には、貴陽石（商標出願中）の粉体から、マイナスイオンが発生する。その時、発生したマイナスイオンを、空気中に放出することができる。また、皮膜は塗装処理あるいはコーティング処理にて形成されてある為、安価かつ容易に、粉体を洗浄ブラシを構成するいずれかの部品の表面に形成させることができる。
【００２４】
また、洗浄ブラシを構成するいずれかの部品を、所定重量％の貴陽石（商標出願中）の粉体を樹脂バインダーにて固着させて形成したり、部品を、所定重量％の貴陽石（商標出願中）の粉体にて焼結させて形成した場合には、粉体の重量％を多くすることができるので、マイナスイオンを、大量に発生させることができる。
【図面の簡単な説明】
【図１】従来の自動洗車ブラシを示す斜視図である。
【図２】図１に使用するブラシ片を示す正面図である。
【図３】本発明の実施の形態１の洗浄ブラシを示す斜視図である。
【図４】回転軸における実施例を示す断面図である。
【図５】回転軸における他の実施例を示す断面図である。
【図６】回転軸における他の実施例を示す断面図である。
【図７】回転軸における他の実施例を示す断面図である。
【図８】ブラシ片における実施例を示す断面図である。
【図９】ブラシ片における他の実施例を示す断面図である。
【図１０】ブラシ片における他の実施例を示す断面図である。
【図１１】本発明の実施の形態１の他の実施例の洗浄ブラシを示す斜視図である。
【符号の説明】
１　自動洗車ブラシ　２、１２、２２、３２、４２、５２　回転軸
３、１３、２３、３３、４３　ブラシ片　４　支持体　５　スリット
６　円孔　８　固定ピン　９、１９、２９、３９　基材
１０、２０、３０、４０、５０、６０、７０　粉体
１１、２１　洗浄ブラシ　１４、２４　止め金具　１７、２７　皮膜
１８、２８　バインダー　２６　溝部
【図１】
2004141602.tif 000003
【図２】
2004141602.tif 000004
【図３】
2004141602.tif 000005
【図４】
2004141602.tif 000006
【図５】
2004141602.tif 000007
【図６】
2004141602.tif 000008
【図７】
2004141602.tif 000009
【図８】
2004141602.tif 000010
【図９】
2004141602.tif 000011
【図１０】
2004141602.tif 000012
【図１１】
2004141602.tif 000013